(57)【特許請求の範囲】
【請求項１】
給電側部材に取付けられる蛍光ランプであって、
蛍光ランプ本体と、
該蛍光ランプ本体の基端側に設けられたインバータ内蔵ケースと、
を具備し、
上記蛍光ランプ本体は螺旋状に形成され、
上記インバータ内蔵ケースには、給電側部材に取付けられる端子部が設けられており、端子部は、給電側部材の開口内に挿入された後、給電側部材に対して変位して給電側部材の開口周縁に対して係止されるものであり、
上記インバータ内蔵ケースの蛍光ランプ本体側の端部は、蛍光ランプ本体側に向かって突出した突出部となっており、この突出部は逆円錐台形状となって、突出部の先窄まりとなった周面は上記ランプ本体から照射される光を反射する反射面となっており、
突出部が上記螺旋状の蛍光ランプ本体に囲繞されることによりインバータ内蔵ケースの必要容積が確保されることを特徴とする蛍光ランプ。
【請求項２】
上記給電側部材は、一対の係止孔とこれに対応する位置に配置された一対の給電側端子とを有する引っ掛けシーリングからなり、
上記端子部が、上記インバータ内蔵ケースの蛍光ランプ本体とは反対側に設けられた一対の端子であり、該一対の端子が、それぞれ上記給電側部材の一対の係止孔へ挿入されて蛍光ランプの中心回りの回転方向に変位させられることにより、給電側部材への係止と上記給電側端子との間の電気的接続が行われるように、先端が曲折されていることを特徴とする請求項１記載の蛍光ランプ。
【請求項３】
上記給電側部材は、端面部に所定形状の取付用開口を有するとともに内部に給電側端子を配置しており、
上記端子部が、上記インバータ内蔵ケースの蛍光ランプ本体とは反対側に設けられた上記取付用開口に対応する形状を有した挿入係止部と、その挿入係止部の近辺に配設された端子とを備え、上記挿入係止部が上記取付用開口に位置合わせされて挿入されてから変位させられることにより、給電側部材への係止と給電側端子との間の電気的接続が行われるようになっていることを特徴とする請求項１記載の蛍光ランプ。
【請求項４】
上記請求項１〜３のいずれか１項に記載の蛍光ランプと、
該蛍光ランプの蛍光ランプ本体を覆うランプカバーとを具備し、
該蛍光ランプのインバータ内蔵ケースの周面に、上記ランプカバーの端部を係止するランプカバー取り付け部が設けられていることを特徴とする照明装置。
【請求項５】
上記請求項１〜３のいずれか１項に記載の蛍光ランプと、
該蛍光ランプの端子部が接続される給電側部材と、
該蛍光ランプの蛍光ランプ本体を覆うランプカバーとを具備し、
上記給電側部材の周面に、上記ランプカバーの端部を係止するランプカバー取り付け部が設けられていることを特徴とする照明装置。
【発明の詳細な説明】
【技術分野】
【０００１】
本願発明は、ランプ本体とインバータ内蔵のケース等を備えた蛍光ランプと、この蛍光ランプを含む照明装置に関するものである。
【背景技術】
【０００２】
従来から、インバータを含む電気回路により点灯される蛍光ランプは一般に知られている。この種の蛍光ランプの構造としては、例えば特許文献１に示されるように、蛍光ランプ本体と、インバータを含む電気回路を内蔵して、上記蛍光ランプ本体の基端側（上端側）に設けられたケース（カバー部）と、このケースのランプ本体とは反対側（上端）に連なって、ケースから外方（上方）に突出したＥベース口金と、蛍光ランプ本体を覆うランプカバー（制光体）とを備えている。そして、上記口金が、部屋の天井などに取り付けられたソケットに嵌め込まれ、螺合されるようになっている。
【特許文献１】特開平１０−１３４６１４号公報
【発明の開示】
【発明が解決しようとする課題】
【０００３】
上記特許文献１に示されるような従来の蛍光ランプでは、ランプ本体の基端側に、インバータを内蔵した所要の大きさのケースが連なり、さらにこのケースの端部から所定の長さのＥベース口金が突出するため、全長が長くなり、特に、ランプ本体以外の、上記ケースと口金とからなる部分が相当の長さを有するため、蛍光ランプ全体の短縮化、コンパクト化を図る上で弊害となり、デザイン性やレイアウト性等の面で不利となる。
【０００４】
また、この蛍光ランプを部屋の天井や壁等に取り付けて使用するとき、蛍光ランプの基端側の上記ケースおよび口金からなる部分の近辺は光が届かない死角エリアとなり、上記ケースおよび口金からなる部分が長ければ、その分だけ上記死角エリアも大きくなり、この点でも改善の余地があった。
【０００５】
本発明は上記の事情に鑑み、蛍光ランプの全長を短くしてコンパクト化を図ることができ、特に蛍光ランプ以外の部分を短縮化することができ、上記死角エリアを小さくするためにも効果的な蛍光ランプおよび照明装置を提供するものである。
【課題を解決するための手段】
【０００６】
請求項１に係る発明は、給電側部材に取付けられる蛍光ランプであって、蛍光ランプ本体と、該蛍光ランプ本体の基端側に設けられたインバータ内蔵ケースと、を具備し、上記蛍光ランプ本体は螺旋状に形成され、上記インバータ内蔵ケースには、給電側部材に取付けられる端子部が設けられており、端子部は、給電側部材の開口内に挿入された後、給電側部材に対して変位して給電側部材の開口周縁に対して係止されるものであり、上記インバータ内蔵ケースの蛍光ランプ本体側の端部は、蛍光ランプ本体側に向かって突出した突出部となっており、この突出部は逆円錐台形状となって、突出部の先窄まりとなった周面は上記ランプ本体から照射される光を反射する反射面となっており、突出部が上記螺旋状の蛍光ランプ本体に囲繞されることによりインバータ内蔵ケースの必要容積が確保されることを特徴とするものである。
【０００７】
この構成によると、上記インバータ内蔵ケースのうちの突出部がランプ本体の内方に入り込むため、ランプ本体の外方に位置する部分が短縮されることとなり、これによって蛍光ランプがコンパクト化されるとともに、照明効果が高められる。ランプ本体から照射されて上記反射面で反射した光が蛍光ランプの基端側近辺にも達するので、光が届かない死角エリアを充分に小さくすることができる。さらに、ランプ本体の内方に位置する反射面により外方へ向けて光が反射されるため、ランプ本体から照射される光の照度が高められる。
【０００８】
請求項２に係る発明は、上記給電側部材は、一対の係止孔とこれに対応する位置に配置された一対の給電側端子とを有する引っ掛けシーリングからなり、上記端子部が、上記インバータ内蔵ケースの蛍光ランプ本体とは反対側に設けられた一対の端子であり、該一対の端子が、それぞれ上記給電側部材の一対の係止孔へ挿入されて蛍光ランプの中心回りの回転方向に変位させられることにより、給電側部材への係止と上記給電側端子との間の電気的接続が行われるように、先端が曲折されていることを特徴とするものである。
この構成によると、蛍光ランプ本体の基端側に設けられたインバータ内蔵のケースの端部には、引っ掛けシーリングに係止される比較的小さい端子が設けられているだけなので、インバータ内蔵のケースの端部からさらにＥベース口金が突出するような従来の蛍光ランプと比べ、蛍光ランプのうちで蛍光ランプ本体以外の部分が短縮され、蛍光ランプがコンパクト化されるとともに、照明効果が高められる。
【０００９】
請求項３に係る発明は、上記給電側部材は、端面部に所定形状の取付用開口を有するとともに内部に給電側端子を配置しており、上記端子部が、上記インバータ内蔵ケースの蛍光ランプ本体とは反対側に設けられた上記取付用開口に対応する形状を有した挿入係止部と、その挿入係止部の近辺に配設された端子とを備え、上記挿入係止部が上記取付用開口に位置合わせされて挿入されてから変位させられることにより、給電側部材への係止と給電側端子との間の電気的接続が行われるようになっていることを特徴とするものである。
この構成によると、蛍光ランプ本体の基端側に設けられたインバータ内蔵のケースの端部には、上記給電部材の取付用開口に係止可能な比較的小さい端子部が設けられているだけなので、上記従来の蛍光ランプと比べ、蛍光ランプのうちで蛍光ランプ本体以外の部分が短縮され、蛍光ランプがコンパクト化されるとともに、照明効果が高められる。
【００１８】
請求項４に係る発明は、上記蛍光ランプと、該蛍光ランプの蛍光ランプ本体を覆うランプカバーとを具備し、該蛍光ランプのインバータ内蔵ケースの周面に、上記ランプカバーの端部を係止するランプカバー取り付け部が設けられていることを特徴とするものである。
【００１９】
また、請求項５に係る発明は、上記蛍光ランプと、該蛍光ランプの端子部が接続される給電側部材と、該蛍光ランプの蛍光ランプ本体を覆うランプカバーとを具備し、上記給電側部材の周面に、上記ランプカバーの端部を係止するランプカバー取り付け部が設けられているものである。
【００２０】
これら請求項４又は５に係る発明によると、蛍光ランプに対するランプカバーの取り付けを簡単に行うことができる。
【発明の効果】
【００２１】
本発明の蛍光ランプによると、蛍光ランプ本体以外の部分が短縮されることにより、蛍光ランプをコンパクト化することができ、デザイン性やレイアウト性を高めることができるとともに、光が届かない死角エリアを小さくし、照明効果を高めることができる。
【発明を実施するための最良の形態】
【００２２】
以下、本発明の実施形態を図面に基づいて説明する。
【００２３】
（第１実施形態）
図１〜図３は第１実施形態を示すものであって、図１は第１実施形態による蛍光ランプとこれが取り付けられる給電側部材を示す正面図、図２は給電側部材の下面側斜視図、図３は上記蛍光ランプにランプカバーを取り付けた状態の断面図である。
【００２４】
これらの図に示すように、第１実施形態の蛍光ランプ２０は、引っ掛けシーリングからなる給電側部材１０に取り付けられるようになっている。
【００２５】
給電側部材１０を構成する引っ掛けシーリングは、図１および図２に示すように、扁平円筒状のシーリングボディ１１の下端部を閉鎖する端面部１２に、一対の係止孔１３，１３を有している。この一対の係止孔１３，１３は、略円弧状で、部分的に広幅部を有する形状となっており、下面部１２の中心に対して互いに対称に配置されている。また、シーリングボディ１１の内部には、給電線１５に電気的に接続された一対の給電側端子（図示せず）が、係止孔１３，１３に対応する配置で設けられている。そして、例えば部屋の天井面１６に給電側部材１０がビス止め等により取り付けられるようになっている。なお、１４は引っ掛けシーリング１０の下面部の適宜数箇所に設けられたビス挿通用の小孔である。
【００２６】
上記蛍光ランプ２０は、蛍光ランプ本体２１と、この蛍光ランプ本体２１の基端側に設けられたインバータ内蔵のケース２２と、該ケース２２の蛍光ランプ本体２１とは反対側に設けられた一対の端子２３，２３とを具備している。そして、図示の例では、一対の端子２３，２３が上端に位置し、蛍光ランプ本体２１がケース２２から下方に向かって突出する状態で、上記引っ掛けシーリング１０に取り付けられるようになっている。
【００２７】
上記蛍光ランプ本体２１は、図示の例では螺旋状に形成された所謂スパイラルランプとなっている。
【００２８】
上記ケース２２は、インバータを含む点灯用電気回路（図示せず）を内蔵し、所要の大きさに形成されている。また、上記一対の端子２３，２３は、先端が屈曲した鈎型に形成され、上記係止孔１３，１３に対応するように配置され、ケース２２内の電気回路に電気的に接続された状態でケース２２から上方に突出している。
【００２９】
さらに、蛍光ランプ本体２１を覆うランプカバー３０を取り付け得るように、上記ケース２２の周面には、ランプカバー取り付け部が設けられている。当実施形態では、上記ケース２２の周面に、環状の凹溝からなる取付溝２４が形成され、この取付溝２４に補助部材２５を介してランプカバー３０が取り付けられるようになっており、上記取付溝２４と補助部材２５とでランプカバー取り付け部が構成されている。
【００３０】
上記補助部材２５は、上記円筒状の内周壁２５ａと、その上端から笠状に外方へ広がった外周壁２５ｂとを一体に有している。補助部材２５の上端部内周面には、上記取付溝２４に係止可能な環状の凸条２５ｃが形成されている。また、補助部材２５の外周壁２５ｂの下部内面には、カバー係止用の環状の突出部２５ｄが形成されている。
【００３１】
この補助部材２５は、全体が弾性を有するゴム又は合成樹脂により一体成形されている。
【００３２】
また、上記ランプカバー３０は、合成樹脂又はガラスにより、蛍光ランプ本体２１を覆うとともに装飾効果をもたせることができる適宜の形状に形成されている。ランプカバーの上端部には、上記補助部材２５の上記外周壁２５ｂの内側に嵌合し得る所定の大きさの短円筒状の嵌合部３１が連成されており、さらにこの嵌合部３１の上端に、外方に突出した環状の縁部３２が設けられている。この縁部３２は、上記嵌合部３１が補助部材２５と嵌合したとき、突出部２５ｄを乗り越えてその上側に達することにより、突出部２５ｄに係止されるようになっている。
【００３３】
上記蛍光ランプ２０が給電側部材１０（引っ掛けシーリング）に取り付けられるときは、先ずケース２２の上方に突出する一対の端子２３，２３が給電側部材１０の係止孔１３，１３にその広幅部から挿入された後、蛍光ランプ２０がその中心回りに回転させられることにより、上記端子２３，２３が蛍光ランプ２０の回転方向に変位して、給電側部材１０に係止されるとともに、シーリングボディ１１内の給電側端子に電気的に接続される。
【００３４】
また、蛍光ランプ２０にランプカバー３０が取り付けられるときは、先ず、補助部材２５がケース２２に外嵌されて、凸条２６が取付溝２４に係止されることにより、補助部材２５が蛍光ランプ２０に取り付けられる。その後、図３に示すように、補助部材２５にランプカバー３０の上端の嵌合部３１が嵌合され、縁部３２が突出部７に係止されることにより、ランプカバー３０が蛍光ランプ２０に取り付けられる。
【００３５】
このようにしてランプカバー３０は蛍光ランプ２０に容易に取り付けられ、また、取り外しも容易に可能である。
【００３６】
以上のような当実施形態の蛍光ランプ２０およびこれを含む照明装置によると、次のような作用、効果が得られる。
【００３７】
蛍光ランプ２０は、ケース２２の上端に、給電側部材１０（引っ掛けシーリング）に係止可能な端子２３，２３が設けられているだけであるので、従来のこの種の蛍光ランプと比べてコンパクトに形成することができる。
【００３８】
すなわち、この種の蛍光ランプは、蛍光ランプ本体とインバータ内蔵のケースとが不可欠であり、さらに前述の特許文献１に示されるような従来品では蛍光ランプ本体およびケースに加えて比較的大きな寸法を有するＥベース口金が設けられているが、当実施形態の装置ではこのＥベース口金がなく、ケース２２の端部に小さい端子２３，２３が設けられているだけなので、蛍光ランプ２０のうちの蛍光ランプ本体２１以外の部分が大幅に短小化される。これにより、ランプ本体２１は必要な大きさを有しながら、蛍光ランプ２０全体をコンパクト化することができる。
【００３９】
また、このように蛍光ランプ本体２１以外の部分が短くなることにより、給電側部材１０に蛍光ランプ２０が取り付けられた状態で、給電側部材１０が固定されている壁面（天井面）から蛍光ランプ本体２１までの距離が小さくなるため、蛍光ランプ２０の基部側の周辺において、蛍光ランプ本体２１からの光が届かない死角エリアが小さくなり、照明効果も高められる。
【００４０】
また、蛍光ランプ本体２１に対してランプカバー３０が容易に着脱可能である。さらに、予め外観が異なる種々のランプカバー３０を用意しておいて選択的に所望のランプカバー３０を蛍光ランプ本体２１に取り付けるようにすることも可能であり、これによって装飾的効果やその多様性を高めることができる。
【００４１】
（変形例）
上記第１実施形態では、ランプカバー３０を取り付けるための構造として、ケース２２に形成された取付溝２４に補助部材２５が係止されるようになっていたが、図４に示すように、蛍光ランプ２０のケース２２に一体にランプカバー取付部２６が形成されていてもよい。このランプカバー取付部２６は、ケース２２の周囲に鍔状に突出しており、このランプカバー取付部２６の外周には短円筒状の縁枠部２６ａが連成され、その縁枠部２６ａの下端内周にカバー係止用の環状の突出部２６ｂが形成されている。
【００４２】
また、別の変形例として、蛍光ランプ２０が取り付けられる給電側部材１０（引っ掛けシーリング）に、ランプカバー３０が取り付けられるようにしておいてもよい。
【００４３】
例えば図５に示すように、給電側部材１０のシーリングボディ１１の周面に、に環状の凹溝からなる取付溝２７が形成され、この取付溝２７に補助部材２５を介してランプカバー３０が取り付けられるようにしてもよい。この補助部材２５は、図１および図３に示した補助部材２５と同様の構造である。
【００４４】
あるいは図６に示すように、引っ掛けシーリング１０のシーリングボディ１１に、ランプカバー取付部２８を一体に設けておいてもよい。このランプカバー取付部２８は、図４に示したランプカバー取付部２６とほぼ同様の構造であって、外周に縁枠部２８ａを有し、この縁枠部２８ａの下端内周にランプカバー係止用の環状の突出部２８ｂを有しているが、このような構造に加え、平面部の複数個所にビス止め用の小孔２８ｃを有している。そして、この小孔２８ｃに挿通されたビス２９により、天井面１６にシーリングボディ１１が取り付けられるようになっている。
【００４５】
このように給電側部材１０にランプカバーが取り付けられるようにすれば、蛍光ランプ２０にランプカバーの重量が加わらず、蛍光ランプの重量負担が軽減される。
【００４６】
さらに、図５に示す補助部材２５を上方にも延出させて、その上端を直接もしくはパッキングを介して天井面等のシーリング取付面に密接させるように形成し、あるいは、図６に示すランプカバー取付部２８の上面を直接もしくはパッキングを介して天井面等のシーリング取付面に密接させるように形成すれば、シーリングボディ１１に対する防水性を高めることができる。
【００４７】
（第２実施形態およびその変形例）
図７および図８は第２実施形態を示すものであって、図７は第２実施形態による蛍光ランプ１２０の正面図、図８は給電側部材１１０の下面側斜視図である。
【００４８】
これらの図に示すように、第２実施形態の給電側部材１１０および蛍光ランプ１２０は、配線ダクトシーリングタイプとなっている。
【００４９】
すなわち、給電側部材１１０は、図８に示すように、扁平円筒状等に形成されたボディ１１１の下端を閉鎖する端面部１１２に、所定形状（例えば長方形）の１つの取付孔１１３（取付用開口）を有するとともに、給電側端子（図示せず）を内蔵している。そして、ボディ１１１が天井面等に取り付けられるようになっている。
【００５０】
一方、蛍光ランプ１２０は、図７に示すように、蛍光ランプ本体１２１と、この蛍光ランプ本体１２１の基端側に設けられたインバータ内蔵のケース１２２と、このケース１２２の蛍光ランプ本体１２１とは反対側（上端）に設けられた端子部１２３とを具備している。
【００５１】
上記端子部１２３は、上記取付孔１１３に対応する形状を有して、上記ケース１２２に連結部１２３ｂを介して連結された挿入係止部１２３ａと、この挿入係止部１２３ａの近辺に配設された端子１２３ｃとを備えている。
【００５２】
そして、蛍光ランプ１２０が給電側部材１１０に取り付けられるときは、挿入係止部１２３ａが取付孔１１３に位置合わせされて挿入されてから、蛍光ランプ１２０が回転させられることで端子部１２３が回転方向に変位することにより、挿入係止部１２３ａが給電側部材１１０に係止されるとともに、端子１２３ｃと給電側端子との電気的接続が行われる。
【００５３】
また、ランプカバー取付のための構造として、第１実施形態の図１、図３に示された蛍光ランプと同様に、ケース１２２に環状の凹溝からなる取付溝１２４が形成され、この取付溝１２４に補助部材２５（図３参照）を介してランプカバー３０（図３参照）が取り付けられるようになっている。
【００５４】
この実施形態でも、ケース１２２から突出する端子部１２３は、前記特許文献１に示された従来の蛍光ランプのＥベース口金と比べて小さいため、蛍光ランプ１２０のうちで蛍光ランプ本体１２１以外の部分が短小化され、第１実施形態と同様の効果が得られる。
【００５５】
この第２実施形態についても、変形例としては、図９に示すように、蛍光ランプ１２０のケース１２２に一体にランプカバー取付部１２６が形成されていてもよい。
【００５６】
また、給電側部材１１０にランプカバーが取り付けられるようにし、例えば、図８中に二点鎖線で示すように、給電側部材１１０のボディ１１１に、補助部材を介してランプカバーを取り付けるための取付溝１２７が形成され、あるいは図１０に示すように、ボディ１１１に一体にランプカバー取付部１２８が形成されていてもよい。
【００５７】
なお、図８に示す例では、給電側部材１１０が、扁平円筒状のボディ１１１の端面部１１２に所定形状の取付孔１１３を有する構造となっているが、図１１に示すように長さ方向に延びる一定幅の取付用開口１１３Ａを有する細長い配線ダクトレールにより給電側部材１１０Ａが構成されてもよい。
【００５８】
この場合、給電側部材（配線ダクトレール）１１０Ａの所望の位置において、蛍光ランプ１２０の端子部１２３が取付用開口１１３Ａに挿入されてから蛍光ランプ１２０が回転させられることにより、挿入係止部１２３ａが給電側部材（配線ダクトレール）１１０Ａに係止されるとともに、端子１２３ｃが配線ダクトレールに配備された給電側端子に接続される。こうして、配線ダクトレールに蛍光ランプ１２０を直接取り付けることもできる。
【００５９】
（第３実施形態およびその変形例）
図１２および図１３は第３実施形態を示すものであって、図１２は第３実施形態による蛍光ランプ２２０の正面図、図１３は給電側部材２１０の下面側斜視図である。
【００６０】
これらの図に示すように、第３実施形態の給電側部材２１０および蛍光ランプ２２０は、スワン口金タイプとなっている。
【００６１】
給電側部材２１０は、図１３に示すように、ボディ２１１の端面部２１２に１つの取付孔２１３を有している。この取付孔２１３は、略円形の中央孔部２１３ａとその周辺に連なる放射状孔部２１３ｂとを有する形状となっている。
【００６２】
一方、蛍光ランプ２２０は、図１２に示すように、蛍光ランプ本体２２１と、この蛍光ランプ本体２２１の基端側に設けられたインバータ内蔵のケース２２２と、このケース２２２の蛍光ランプ本体２２１とは反対側（上端）に設けられた端子部２２３とを具備し、端子部２２３は、上記取付孔２１３に対応する形状の挿入係止部２２３ａと端子とを備えている。
【００６３】
そして、蛍光ランプ２２０が給電側部材２１０に取り付けられるときは、挿入係止部１２３ａが取付孔２１３に位置合わせされて挿入されてから、蛍光ランプ２２０が回転させられることにより、給電側部材２１０への係止および端子の電気的接続が行われるようになっている。
【００６４】
この実施形態でも、第１、第２実施形態と同様の効果が得られる。
【００６５】
なお、この実施形態でも、ランプカバー取り付けのための構造としては、補助部材を介してランプカバーを取り付けるための取付溝２２４がケース２２２に形成され（図１２参照）、もしくは図１４のように、ランプカバー取付部２２６がケース２２２に一体に形成される。あるいは、給電側部材２１０のボディ２１１に取付溝２２７が形成され（図１３中の二点鎖線）、もしくは図１５のように、ランプカバー取付部２２８がボディ２１１に一体に形成されていてもよい。
【００６６】
（第４実施形態およびその変形例）
図１６および図１７は第４実施形態を示すものであって、図１６は第４実施形態による蛍光ランプ３２０の正面図、図１７は給電側部材３１０の下面側斜視図である。
【００６７】
これらの図に示すように、第４実施形態の給電側部材３１０および蛍光ランプ３２０は、Ｅベース口金の改良タイプとなっている。
【００６８】
すなわち、給電側部材３１０は、図１７に示すように、内周面に雌ねじ３１０ａを有する円筒状のＥベース口金ソケットからなっている。
【００６９】
一方、蛍光ランプ３２０は、図１６に示すように、蛍光ランプ本体３２１と、この蛍光ランプ本体３２１の基端側に設けられたインバータ内蔵のケース３２２と、このケース３２２の外周に設けられたＥベース口金３２３とを具備している。
【００７０】
このＥベース口金３２３は、給電側部材３１０の雌ねじ３１０ａに対応する雄ねじを有し、導電性金属材料により形成され、ケース３２２の所定範囲にわたる外周面に固着されている。図１６に示す例では、ケース３２２の上端から下端近傍までにわたる範囲にＥベース口金３２３が設けられている。
【００７１】
そして、蛍光ランプ３２０が給電側部材３１０に取り付けられるときは、給電側部材３０１（ソケット）にケース３２２が嵌め込まれて、ケース３２２の外周のＥベース口金３２３が給電側部材３１０の雌ねじ３１０ａに螺合されることにより、給電側部材３１０に対する蛍光ランプ３２０の係合と電気的接続が行われる。
【００７２】
この実施形態によると、蛍光ランプ３２０においてＥベース口金３２３がケース３２２の外周部に設けられて、ケース３２２と合体しているので、前記特許文献１に示されるようにケースの上方に口金が突出する従来品と比べ、ケースおよびＥベース口金を構成する部分の長さが短縮される。
【００７３】
従って、前記第１〜第３実施形態と同様の効果が得られる。
【００７４】
なお、この実施形態でも、ランプカバー取り付けのための構造としては、補助部材を介してランプカバーを取り付けるための取付溝３２４がケース３２２に形成され（図１６参照）、もしくは図１８のように、ランプカバー取付部３２６がケース３２２に一体に形成される。あるいは、給電側部材３１０のボディ３１１に取付溝３２７が形成され（図１７中の二点鎖線）、もしくは図１９のように、ランプカバー取付部３２８が給電側部材３１０に一体に形成されていてもよい。
【００７５】
（第５実施形態およびその変形例）
図２０は第５実施形態の蛍光ランプ４２０を示す一部断面正面図である。
【００７６】
この第５実施形態において、蛍光ランプ４２０は、蛍光ランプ本体４２１と、この蛍光ランプ本体４２１の基端側に設けられたインバータ内蔵のケース４２２と、このケース４２２の蛍光ランプ本体４２１とは反対側（上端）に設けられた端子部４２３とを具備している。
【００７７】
上記蛍光ランプ本体４２１は螺旋状に形成されている。また、ケース４２２の下端部（蛍光ランプ本体側の端部）には、略逆円錐台形状の突出部４２２ａが設けられている。この突出部４２２ａの周面は先窄まりとなるように湾曲し、この湾曲した周面４２２ｂの基部寄りの位置に蛍光ランプ本体４２１の基部が接続され、この位置から下方へ螺旋状に蛍光ランプ本体４２１が延び、この蛍光ランプ本体４２１によって上記突出部４２２ａの大部分が囲繞されている。
【００７８】
また、上記突出部４２２ａの周面４２２ｂは、反射率の高い表面状態に形成されることにより、蛍光ランプ本体４２１から照射される光を反射する反射面とされている。
【００７９】
この構造によると、インバータ内蔵のケース４２２の必要容積が確保されつつ、このケース４２２の一部である上記突出部４２２ａがランプ本体４２１の内方に入り込んでいるため、ケース４２２のうちで蛍光ランプ本体４２１の上方に突出する部分が短小化され、蛍光ランプ４２０をコンパクト化することができる。
【００８０】
また、給電側部材４１０に蛍光ランプ４２０が取り付けられた状態で、給電側部材４１０が固定されている壁面（天井面）から蛍光ランプ本体４２１までの距離が小さくなるため、蛍光ランプ４２０の基部側の周辺において、蛍光ランプ本体４２１からの光が届かない死角エリアが小さくなるが、さらに、上記突出部４２２ａの周面４２２ｂにより光が天井側にも反射されることにより、上記死角エリアをより一層小さくすることができ、照明効果が高められる。
【００８１】
なお、図２０に示す例では、蛍光ランプ４２０のケース４２２にランプカバー取付部４２６が一体に設けられているが、他の実施形態と同様にランプカバー４３０の取り付けのための構造は種々変更可能であり、例えば図２０に二点鎖線で示すように取付溝４２４がケース２２２に形成されていてもよく、あるいは、図２１に示すように給電側部材４１０のボディ４１１にランプカバー取付部４２８（同図中に実線で示す）もしくは取付溝４２７（同図中に二点鎖線で示す）が形成されていてもよい。
【００８２】
また、図２０に示す例では、蛍光ランプ本体４２１が略一定の曲率の螺旋状に形成されているが、図２２に示すように、先端側で次第の曲率半径が小さくなった螺旋状に蛍光ランプ本体４２１Ａが形成されていてもよい。
【００８３】
また、図２０に示す例では、給電側部材４１０とこれに係止される蛍光ランプ４２０の端子部４２３が引っ掛けシーリングタイプの構造となっているが、前述のような他の構造（配線ダクトシーリングタイプ等）であってもよい。なお、図２３に示すように蛍光ランプ４２０のケース４２２の上方にＥベース口金４２３が突出するような構造であっても、ケース４２２の下端部に略逆円錐台形状の突出部４２２ａが設けられていれば、蛍光ランプコンパクト化の効果は得られる。
【００８４】
（他の変形例）
ランプカバーの形状は図に示すものに限定されず、装飾性等を考慮して種々変更可能である。また、ランプカバーを補助部材を介して蛍光ランプまたは給電側部材に取り付けるときの補助部材の形状も種々変更可能であり、例えば給電側部材を覆い隠すように大きく形成しておいてもよい。
【００８５】
上記各実施形態では、給電側部材を天井部に直接固定しているが、吊り下げ部材等を介して取り付けるようにしてもよい。また、給電側部材を縦壁の壁面に取り付け、これに対して蛍光ランプを横向きの状態で取り付けるようにしてもよい。このほかにも給電側部材の取り付け箇所や取り付け方は種々変更可能である。
【図面の簡単な説明】
【００８６】
【図１】本発明の第１実施形態による蛍光ランプとこれが取り付けられる給電側部材を示す正面図である。
【図２】第１実施形態における給電側部材の下面側斜視図である。
【図３】第１実施形態における蛍光ランプにランプカバーを取り付けた状態の断面図である。
【図４】第１実施形態における蛍光ランプの変形例を示す部分断面正面図である。
【図５】第１実施形態における給電側部材の変形例を示す正面図である。
【図６】第１実施形態における給電側部材の別の変形例を示す部分断面正面図である。
【図７】第２実施形態における蛍光ランプの正面図である。
【図８】第２実施形態における給電側部材の下面側斜視図である。
【図９】第２実施形態における蛍光ランプの変形例を示す部分断面正面図である。
【図１０】第２実施形態における給電側部材の変形例を示す下面側斜視図である。
【図１１】第２実施形態のさらに別の変形例よる給電側部材の下面側斜視図である。
【図１２】第３実施形態における蛍光ランプの正面図である。
【図１３】第３実施形態における給電側部材の下面側斜視図である。
【図１４】第３実施形態における蛍光ランプの変形例を示す部分断面正面図である。
【図１５】第３実施形態における給電側部材の変形例を示す下面側斜視図である。
【図１６】第４実施形態における蛍光ランプの正面図である。
【図１７】第４実施形態における給電側部材の下面側斜視図である。
【図１８】第４実施形態における蛍光ランプの変形例を示す部分断面正面図である。
【図１９】第４実施形態における給電側部材の変形例を示す下面側斜視図である。
【図２０】第５実施形態における蛍光ランプの部分断面正面図である。
【図２１】第５実施形態の変形例を示す部分断面正面図である。
【図２２】第５実施形態の別の変形例を示す部分断面正面図である。
【図２３】第５実施形態のさらに別の変形例を示す正面図である。
【符号の説明】
【００８７】
１０，１１０，１１０Ａ，２１０，３１０，４１０    給電側部材
２０，１２０，２２０，３２０，４２０    蛍光ランプ
２１，１２１，２２１，３２１，４２１    蛍光ランプ本体
２２，１２２，２２２，３２２，４２２    ケース
２３，１２３，２２３    端子部
【図１】
0004669796.tif 000002
【図２】
0004669796.tif 000003
【図３】
0004669796.tif 000004
【図４】
0004669796.tif 000005
【図５】
0004669796.tif 000006
【図６】
0004669796.tif 000007
【図７】
0004669796.tif 000008
【図８】
0004669796.tif 000009
【図９】
0004669796.tif 000010
【図１０】
0004669796.tif 000011
【図１１】
0004669796.tif 000012
【図１２】
0004669796.tif 000013
【図１３】
0004669796.tif 000014
【図１４】
0004669796.tif 000015
【図１５】
0004669796.tif 000016
【図１６】
0004669796.tif 000017
【図１７】
0004669796.tif 000018
【図１８】
0004669796.tif 000019
【図１９】
0004669796.tif 000020
【図２０】
0004669796.tif 000021
【図２１】
0004669796.tif 000022
【図２２】
0004669796.tif 000023
【図２３】
0004669796.tif 000024